(57)【要約】【課題】プレゼントを贈る側と送られる側との日付を含む条件の自動判定処理を行うシステムの提供。【解決手段】ユーザー情報と、プレゼントを受け取るユーザーに関する日付情報を含む希望プレゼント条件とを記憶するユーザー情報記憶手段と、プレゼント提供者情報記憶手段と、プレゼント提供者が提供するプレゼント情報と、日付情報を含む提供プレゼント条件とを記憶するプレゼント情報記憶手段と、希望プレゼント条件と提供プレゼント条件とが合致するユーザーを抽出するプレゼント条件判定手段と、プレゼント通知生成手段と、プレゼント通知送信手段とを備える。【選択図】  図１
2004213587.tif 000002
【特許請求の範囲】
【請求項１】
携帯電話やコンピュータ等のユーザー端末からアクセスが行われ情報処理を行うサーバーとを含み構成され、
前記のサーバーシステムには、
ユーザー情報と、プレゼントを受け取るユーザーに関する一または複数の日付情報を少なくとも含む希望プレゼント条件とを記憶するユーザー情報記憶手段と、プレゼント提供者に関する情報を記憶するプレゼント提供者情報記憶手段と、
プレゼント提供者が提供するプレゼント情報と、日付情報を含む提供プレゼント条件とをプレゼント提供者に関連付けて記憶するプレゼント情報記憶手段と、
ユーザーごとに、日付情報を含む希望プレゼント条件と提供プレゼント条件とが合致するか否かを判定し、合致するユーザーを抽出するプレゼント条件判定手段と、
希望プレゼント条件と提供プレゼント条件とが合致したユーザーに対し、ユーザー情報記憶手段に記憶されたユーザーごとのユーザー情報のうちの少なくとも一部のデータと、前記のプレゼント情報記憶手段に記憶された要返信データ項目を含む必要データ項目を挿入してプレゼント通知を生成するプレゼント通知生成手段と、
該当するユーザー端末にプレゼント通知を送信するプレゼント通知送信手段とを少なくとも備えたことを特徴とする、日付情報の自動判別によるプレゼントサーバーシステム。
【請求項２】
請求項１に記載の発明において、
プレゼント提供者が備えるプレゼント提供者端末からアクセスして、前記のプレゼント提供者情報記憶手段およびプレゼント情報記憶手段にデータを登録する、プレゼント提供者登録手段がさらに備えられたことを特徴とする、日付情報の自動判別によるプレゼントサーバーシステム。
【請求項３】
請求項１または２のいずれかに記載の発明において、
日付情報を含む希望プレゼント条件には、ユーザーが登録したプレゼントを希望する商品ジャンル、金額範囲、プレゼント提供者またはその種別の識別データ、プレゼント受け取り場所、プレゼント受け取り日時、プレゼント受け取り方法のうち、少なくとも一以上のプレゼント条件が含まれており、プレゼント条件判定手段により希望条件の判定を行うことを特徴とする、日付情報の自動判別によるプレゼントサーバーシステム。
【請求項４】
請求項１〜３のいずれかに記載の発明において、
前記システムにはさらに、ユーザー情報に関連付けられて、ユーザーが受け取り希望プレゼントデータを登録する希望プレゼント登録手段が設けられたことを特徴とする、日付情報の自動判別によるプレゼントサーバーシステム。
【請求項５】
請求項４に記載の発明において、
希望プレゼント登録手段に記憶される希望プレゼントデータは、複数のプレゼントデータをあらかじめ記憶するプレゼントデータベースから、ユーザーが選択して登録したリストデータであることを特徴とする、日付情報の自動判別によるプレゼントサーバーシステム。
【請求項６】
請求項４または５のいずれかに記載の発明において、
前記の個々の希望プレゼントデータに対応して、プレゼント提供者が提供するプレゼントを選択し、該当する希望プレゼントデータに選択済フラグを付加するプレゼント提供選択手段が設けられたことを特徴とする、日付情報の自動判別によるプレゼントサーバーシステム。
【請求項７】
請求項１〜６のいずれかに記載の発明において、
登録されたユーザーの希望プレゼントデータを検索可能な希望プレゼント検索閲覧手段がさらに備えられたことを特徴とする、日付情報の自動判別によるプレゼントサーバーシステム。
【発明の詳細な説明】
【０００１】
【発明の属する技術分野】
本発明は、日付情報の自動判別によるプレゼントサーバーシステムに関する。
【０００２】
【従来の技術】
従来より、誕生日などの記念日を初め、各種の贈答の機会や習慣は多く、また誕生日や結婚記念日などの個人的な記念日は人によってまちまちであるため、様々な日に様々な記念のプレゼントが行われている。
また、インターネット販売や通信販売などを通じても、このようなプレゼントのやり取りが行われるようになっている。
【０００３】
一方、個人的なプレゼント以外にも、企業などが販売促進やマーケティング活動などの一環として、消費者ユーザーに対する各種のプレゼントや景品、ギフトなどの贈呈を行うことも多い。こうした場合には、プレゼント贈呈の相手となるユーザーの個人情報を収集することもできるが、プライバシー情報を公開したがらないユーザーも多い。しかし個人情報を収集しない場合であっても、ユーザーからのアンケートの回答や使用の感想などの回答の収集、あるいは個人を特定しないマーケティングデータの収集などができれば十分に有益である。
【０００４】
【発明が解決しようとする課題】
【０００５】
記念日におけるプレゼントの贈呈に関しては、特開２００１−３３８０４５「祝賀サービス提供方法およびそのプログラム記録媒体」においては、祝賀サービスを受ける申込者が祝賀対象者別にその誕生日をセンター側に登録する手続きを行っておくだけで、センター側から適切な時期に誕生日に応じた祝賀サービスを受けることができ、各人の誕生日管理をユーザ自身が独自に行うという煩わしさがなくなり、また、サービスを提供するセンター側にとっては、祝賀に伴う商品販売等のチャンスを享受できるシステムが提案されている。
この発明によれば、サーバ装置は、ユーザ別登録カードの内容を参照し、現在のシステム日付と祝賀対象者別の個人情報に含まれている誕生日とに基づいて当該誕生日に近づいたか否かを判別する。そして、誕生日に近づいたことが判別された場合に、当該祝賀対象者を特定してその申込者側のユーザ端末に対してその旨をメール通知する。
しかしながら上記出願は、誕生日などの記念日にあたる本人に通知がされるものではなく、その人に対して贈答などを行うユーザー宛に通知がされることにより、贈答をする日を忘れることなく、プレゼントの購入・発送などを行えるようにしたものであり、通信販売と連携していることを除けば、スケジュールの通知機能を有するというものにすぎない。
【０００６】
また、特開２００２−３１２５４４「ネットワークを用いたセクレタリサービス方法」においても、日付の決定しているアクションを自己管理することなく確実に実行可能とするセクレタリシステムが提案されている。
この発明においても同様に、ユーザ端末とアクション指示手段と接続されたセクレタリサーバにおいて、ユーザ端末からのアクションに関する日の登録を受け付けた後、日の検出を行い、アクション指示手段に対してアクションを指示する。アクションとはプレゼント等を意味し、日とは誕生日や結婚記念日等を意味しており、セクレタリサーバに誕生日や記念日を登録しておき、アクション指示手段である発送手段に対して発送指示を行う。セクレタリサーバが個人の秘書として機能し、指示アクション指示手段としての黒子に処理を行わせるというものである。
上記出願も、誕生日などの記念日にあたる本人に通知がされるものではなく、その人に対して贈答などを行うユーザー宛に通知がされることにより、贈答をする日を忘れることなく、プレゼントの購入・発送などを行えるようにしたものであり、通信販売と連携していることを除けば、スケジュールの通知機能を有するというものにすぎない。
【０００７】
さらに特開２００２−２４５１８６「予め登録した日に関連した情報を提供可能なサーバ及び情報の提供方法」においても、インターネット等の通信回線で入手可能な情報をユーザが設定した日としての必要な時に必要な情報だけを提供するようにして、膨大な情報の中から効率的な情報提供を行う方法が提案されている。
サーバに対して忘れたくない特定の日の情報と、当該特定の日に必要となるプレゼン等の必要情報とを登録しておくことによって、サーバ側でその登録された特定の日の期限管理を行い、その期限前までに期限が来ることを通知し、その通知と同時にサーバで集めることが可能な情報の中、或いは予めサーバ内に登録された店舗の商品情報等の情報から、予め登録された必要情報（例えば、プレゼントに係わる商品情報）を、提供できるようにしたものである。
上記出願も、誕生日などの記念日にあたる本人に通知がされるものではなく、その人に対して贈答などを行うユーザー宛に通知がされることにより、贈答をする日を忘れることなく、プレゼントの購入・発送などを行えるようにしたものであり、通信販売と連携していることを除けば、スケジュールの通知機能を有するというものにすぎない。
【０００８】
しかしながら、個人間のプレゼントや、それ以外の各種の贈呈の機会においても、単に日付を忘れずに行うこと以外にも、プレゼントを贈る側の条件や希望だけではなく、プレゼントを受け取る側の条件や希望が存在する。
たとえば、プレゼントの受け取り方法や、もらいたいプレゼントの商品ジャンル、内容、その他の様々な条件があり、さらには嫌いな相手からはもらいたくない、あるいは高価すぎるプレゼントはもらえないといった条件も想定される。
また、希望しないプレゼントをもらうことは贈る側と贈られる側の双方にとって無駄である。
さらに、誕生日など以外にも、ユーザー一人一人には、その人だけの祝いたい日、祝って欲しい日などがあるものであり、こうした記念日の中にはプレゼントを贈られるユーザーでなくてはわからない記念日が存在することも多い。
【０００９】
一方、企業などがマーケティングその他の目的で消費者ユーザーに対しプレゼントなどの提供をする場合にも、単なる抽選や懸賞など以外に、ユーザー個人個人の誕生日その他の記念日に行うことを可能にするならば、よりユーザーの印象にも残り、好感を得られる。さらにユーザーに好印象を与えることができるので、ユーザーとしても単なる抽選などよりもプレゼント提供者である企業等に対し友好的になることも考えられ、アンケートへの回答や、その他のデータの回答・提供などをすることが期待される。
【００１０】
そこで本発明においては、上記の様々な課題を解決するため、個人間のプレゼントや、企業などがマーケティングその他の目的で消費者ユーザーに対しプレゼントなどの提供をする場合にも、ユーザー一人一人の記念日や、その人だけの祝いたい日、祝って欲しい日にプレゼント提供を行うことが可能なシステムを提供することを目的とする。
また、単に日付を忘れずに行うといった、プレゼントを贈る側の条件や希望だけではなく、プレゼントを受け取る側の条件や希望をも満たし、たとえばプレゼントの受け取り方法や、もらいたいプレゼントの商品ジャンル、内容、その他の様々な条件があり、さらには嫌いな相手からはもらいたくない、あるいは高価すぎるプレゼントはもらえないといった条件にも対応可能なシステムを提供することを目的とする。
また、企業などが行うプレゼント等においても、ユーザー個人個人の誕生日その他の記念日に行うことを可能にすることにより、よりユーザーの印象にも残り、好感を得られる。さらにユーザーに好印象を与えることが可能なシステムを提供することを目的とする。
さらに、プレゼントを提供するユーザーと提供されるユーザーとの条件の合致判定を自動化し、さらに通知や承認、アンケートなどの各種の回答にも対応したシステムを提供することを目的とする。
【００１１】
【課題を解決するための手段】
上記課題を解決するため、請求項１に記載の発明においては、
携帯電話やコンピュータ等のユーザー端末からアクセスが行われ情報処理を行うサーバーとを含み構成され、
前記のサーバーシステムには、
ユーザー情報と、プレゼントを受け取るユーザーに関する一または複数の日付情報を少なくとも含む希望プレゼント条件とを記憶するユーザー情報記憶手段と、プレゼント提供者に関する情報を記憶するプレゼント提供者情報記憶手段と、
プレゼント提供者が提供するプレゼント情報と、日付情報を含む提供プレゼント条件とをプレゼント提供者に関連付けて記憶するプレゼント情報記憶手段と、
ユーザーごとに、日付情報を含む希望プレゼント条件と提供プレゼント条件とが合致するか否かを判定し、合致するユーザーを抽出するプレゼント条件判定手段と、
希望プレゼント条件と提供プレゼント条件とが合致したユーザーに対し、ユーザー情報記憶手段に記憶されたユーザーごとのユーザー情報のうちの少なくとも一部のデータと、前記のプレゼント情報記憶手段に記憶された要返信データ項目を含む必要データ項目を挿入してプレゼント通知を生成するプレゼント通知生成手段と、
該当するユーザー端末にプレゼント通知を送信するプレゼント通知送信手段とを少なくとも備えた、日付情報の自動判別によるプレゼントサーバーシステムであることを特徴としている。
【００１２】
また、上記課題を解決するため、請求項２に記載の発明においては、
請求項１に記載の発明において、
プレゼント提供者が備えるプレゼント提供者端末からアクセスして、前記のプレゼント提供者情報記憶手段およびプレゼント情報記憶手段にデータを登録する、プレゼント提供者登録手段がさらに備えられた、日付情報の自動判別によるプレゼントサーバーシステムであることを特徴としている。
【００１３】
また、上記課題を解決するため、請求項３に記載の発明においては、
請求項１または２のいずれかに記載の発明において、
日付情報を含む希望プレゼント条件には、ユーザーが登録したプレゼントを希望する商品ジャンル、金額範囲、プレゼント提供者またはその種別の識別データ、プレゼント受け取り場所、プレゼント受け取り日時、プレゼント受け取り方法のうち、少なくとも一以上のプレゼント条件が含まれており、プレゼント条件判定手段により希望条件の判定を行う、日付情報の自動判別によるプレゼントサーバーシステムであることを特徴としている。
【００１４】
また、上記課題を解決するため、請求項４に記載の発明においては、
請求項１〜３のいずれかに記載の発明において、
前記システムにはさらに、ユーザー情報に関連付けられて、ユーザーが受け取り希望プレゼントデータを登録する希望プレゼント登録手段が設けられた、日付情報の自動判別によるプレゼントサーバーシステムであることを特徴としている。
【００１５】
また、上記課題を解決するため、請求項５に記載の発明においては、
請求項４に記載の発明において、
希望プレゼント登録手段に記憶される希望プレゼントデータは、複数のプレゼントデータをあらかじめ記憶するプレゼントデータベースから、ユーザーが選択して登録したリストデータである、日付情報の自動判別によるプレゼントサーバーシステムであることを特徴としている。
【００１６】
また、上記課題を解決するため、請求項６に記載の発明においては、
請求項４または５のいずれかに記載の発明において、
前記の個々の希望プレゼントデータに対応して、プレゼント提供者が提供するプレゼントを選択し、該当する希望プレゼントデータに選択済フラグを付加するプレゼント提供選択手段が設けられた、日付情報の自動判別によるプレゼントサーバーシステムであることを特徴としている。
【００１７】
また、上記課題を解決するため、請求項７に記載の発明においては、
請求項１〜６のいずれかに記載の発明において、
登録されたユーザーの希望プレゼントデータを検索可能な希望プレゼント検索閲覧手段がさらに備えられた、日付情報の自動判別によるプレゼントサーバーシステムであることを特徴としている。
【００１８】
【発明の実施の形態】
以下、本発明の実施の形態について図面を参照して説明する。
図１は、本発明のシステムの基本的な構成の一例を示すシステム構成図である。
本発明のシステムは、携帯電話やコンピュータ等のユーザー端末からアクセスが行われ情報処理を行うサーバーを含み構成されるものである。
【００１９】
本発明のサーバーシステムに接続するためのユーザー端末としては、通常、パーソナルコンピュータやワークステーションなどのコンピュータ端末が用いられる。この他、ユーザー端末には、インターネット等に接続可能なブラウザ機能を搭載した携帯電話をはじめとする無線通信端末、携帯情報端末や、インターネットＴＶ、ゲーム機器、テレビ会議システム、その他のネットワーク接続機能を備えた家電製品などの機器を広く含む。コンピュータ端末は、制御手段、記憶手段、入力手段、出力手段、表示手段などを備える。またインターネットに代表されるコンピュータネットワークに接続し、データの送受信を行う機能を備え、ブラウザや電子メールソフトウェア、ワードプロセッサなどのアプリケーションプログラムや、オペレーティングシステム（ＯＳ）を備えることが通常の形態である。
【００２０】
サーバーシステムは、インターネットに代表されるネットワークに接続されて備えられ、コンピュータネットワークに接続するユーザー端末からアクセスされる。ネットワークには、インターネットをはじめとして、専用線により接続されたネットワーク形態や、企業内ＬＡＮ、企業間ＬＡＮ、ＷＡＮなどの形態を広く含む。またここで用いられる通信回線の形態には、有線通信、無線通信の形態を広く含み、衛星通信や、Ｂｌｕｅｔｏｏｔｈなどを用いた形態を含む。
【００２１】
次に、本発明のサーバーシステムは、通常は、アプリケーションサーバー、データベースサーバー、認証サーバー、ＷＥＢサーバー、その他必要に応じメールサーバー、その他の各種装置により構成することができる。
これらの各サーバーは、物理的に同一の装置に設けられる形態や、物理的に複数の装置からなる形態、あるいはネットワークを介して接続される物理的に複数の装置からなる形態などを含み、機能的に同様の機能が実現されるならば、様々な形態を含む。
【００２２】
次に、本発明のシステムは、顧客端末からアクセスするためのコンテンツデータ及びプログラムを記憶するＷＥＢサーバーを備えている。
コンテンツデータには、ＨＴＭＬファイル、ＸＭＬファイルなどのＷＥＢ上に表示されるデータファイルや、Ｃ−ＨＴＭＬファイルなどのＷＥＢサイトにアクセス可能な携帯電話等に表示されるデータファイルなどが含まれる。
また、これらのファイルに挿入されるなどして表示又は出力される、文字データファイル、音声データファイル、画像データファイル、動画像データファイル、アニメーションデータファイル，その他の様々なコンテンツデータを記憶することができる。
プログラムは、ユーザー端末からの検索要求に応答してウェブサーバー等に記憶されたコンテンツデータを検索・抽出するプログラムや、ユーザー端末との間、あるいはプレゼント提供者端末との間でデータの送受信を行うプログラム、その他のプログラムを含むことができる。プログラムの処理については後述する。
【００２３】
初めに、サーバーシステムは、ユーザー情報と、プレゼントを受け取るユーザーに関する一または複数の日付情報を少なくとも含む希望プレゼント条件とを記憶するユーザー情報記憶手段を備えている。
ユーザー登録されるユーザー情報としては、氏名、年齢、性別、住所、電話番号、電子メールアドレスなどの情報をサーバーシステムにおいて記憶する。また、ユーザーの趣味、嗜好、職業、その他の必要なデータ項目を記憶する。
図２は、ユーザー情報記憶手段に記憶されるデータの一例を示すデータ模式図である。これらのユーザー情報は、本発明のシステムが提供するウェブサイトにおいてユーザー端末からアクセスしたユーザーが入力・送信して記憶されるようにすることが望ましく、またこの他にもサーバーシステム管理者が入力するようにしてもよい。
【００２４】
また、ユーザーが登録する希望プレゼント条件の内、日付情報には、年月日、あるいは毎年訪れる月日などのデータである。具体的な一例として、出産予定日、誕生日、結婚予定日、結婚記念日、入学予定日、卒業記念日、入社予定日、七五三、初節句など、それぞれのユーザーが祝いたい日付情報、祝ってほしい日付情報を登録する。
図３は、ユーザー情報記憶手段に記憶される日付情報のデータの一例を示すデータ模式図である。
登録できる日付情報は、誕生日だけのように一つでもよく、また複数であってもよい。また、日付情報は、卒業式の日のように１回限りのものでもよく、また誕生日や結婚記念日のように毎年訪れる日付であってもよい。何年かに１回の日付情報であってもよい。たとえば図３の例では、誕生日は月・日だけが指定され、年は指定がないので、毎年７月１５日が該当する日付情報となる。また誕生日の登録はユーザー登録時に必ずするようにして、その他の日付情報はユーザーが設定するような例を示しているが、すべてをユーザー設定としてもよく、逆にユーザー登録時に様々な日付情報の登録を促してもよい。
【００２５】
日付情報のほかにも、希望プレゼント条件としては、ユーザーが登録したプレゼントを希望する商品ジャンル、金額範囲、プレゼント提供者またはその種別の識別データ、プレゼント受け取り場所、プレゼント受け取り日時、プレゼント受け取り方法のうち、少なくとも一以上のプレゼント条件を含むことができる。
図４は、ユーザー情報記憶手段に記憶される日付情報以外の希望プレゼント条件のデータの一例を示すデータ模式図である。
図４においては、ユーザーが希望するプレゼントの商品ジャンルには制限がなく、また金額の範囲が指定されている。たとえば、知人その他の個人からのプレゼントが想定される場合などに、高価なものを避けたりすることができる。また、受け取り方法として「配送」される形態が指定されている。この他にも、受け取りにユーザーが出向く形態や、プレゼントがレストランでの食事、レジャー施設の利用など、様々な形態が考えられるので、このようなプレゼントの受け取りをするか否かなどの希望条件を登録することができる。
【００２６】
また、アンケートの回答など、プレゼントの通知に対してユーザーが所定の返信行為を承諾するか否かといった設定や、プレゼントの受領を承認するか否かの確認の要否などを設定することができる。アンケートの回答、ユーザー情報の提供、感想の回答など、プレゼントと引き換えにユーザーからのデータを収集できるようにすれば、プレゼント提供者が企業などの場合には、マーケティングに役立つデータを収集できることになる。
こうした場合の実施態様としては、たとえばユーザーの電子メールアドレスなどの個人情報そのものをプレゼント提供者である企業などにプレゼントと引き換えに提供し、企業などからの広告や案内などを受信するようにしてもよい。受信してもよいか、電子メールアドレスを教えてもよいかなどは、ユーザーの承諾を条件とすることが望ましい。
一方、ユーザー情報はプレゼント提供者には秘密にして、ユーザー情報の提供に際しても、年齢・性別・地域、あるいはアンケートの回答などの個人が特定できない情報のみを、プレゼントと引き換えにプレゼント提供者に提供することも望ましい。本発明のシステム管理者側でプレゼントの発送や引渡しなどを代行するようにすればよい。この場合でも、個人が特定できなくても有益なデータは収集することができるので、企業などのプレゼント提供者にとっては意味がある。
【００２７】
次にサーバーシステムは、プレゼント提供者に関する情報を記憶するプレゼント提供者情報記憶手段を備えている。
本発明のシステムを利用するユーザーとしては、特に限定されないが、通常は一般の個人ユーザーが想定されている。しかしながらこれに限定されるものではなく、たとえば企業、公共団体、自治体、任意団体、ボランティア団体、個人ユーザーの集まったグループなどであってもよい。たとえば、企業や自治体等の記念日や式典などの祝い事や、ボランティア団体に対する寄贈、各種サークルやスポーツチームなどに対する祝福などに利用可能であるためである。
一方、こうしたユーザーに対しプレゼントを提供するプレゼント提供者には、個人と、企業その他の団体とが想定される。プレゼント提供者情報記憶手段には、これらのプレゼント提供者に関する情報を記憶する。
【００２８】
図５は、プレゼント提供者情報記憶手段に記憶されるデータの一例を示すデータ模式図である。
登録されるプレゼント提供者情報としては、名称（企業名など）、氏名、住所、電話番号、電子メールアドレス、その他の必要なデータ項目の情報などである。プレゼント提供者情報は、本発明のシステムが提供するウェブサイトにおいてユーザー端末からアクセスしたユーザーが入力・送信して記憶されるようにすることが望ましく、またこの他にもサーバーシステム管理者が入力するようにしてもよい。
また、プレゼント提供者情報は、継続的にプレゼントの提供を行う企業などのように、継続的に記憶していてもよいが、個人のプレゼント提供者や、１回限りあるいは期間限定のプレゼント提供者のように、必要な期間だけ記憶するようにしてもよい。
【００２９】
次にサーバーシステムは、プレゼント提供者が提供するプレゼント情報と、日付情報を含む提供プレゼント条件とをプレゼント提供者に関連付けて記憶するプレゼント情報記憶手段を備えている。
プレゼント情報は、プレゼントの名称、内容などの説明や、価格、プレゼント数量などを含むことができるが、少なくともプレゼントが何であるかを特定できるデータが登録されればよい。一方、プレゼント情報をウェブサイトなどにおいて公開しユーザーによる閲覧を許可する場合には、詳しい内容の説明や、プレゼントの提供数、提供期間、提供条件、プレゼントを表示する画像データなどが含まれることが好ましい。
【００３０】
次に、提供提供プレゼント条件は、日付情報を含むが、さらにプレゼント提供の対象となるユーザーの属性、プレゼント受け取り場所、プレゼント受け取り日時、プレゼント受け取り方法など、プレゼント提供と引き換えにユーザーに求める条件などである。一例としては「誕生日に該当するユーザーにプレゼントを提供する」、「○月○日に生まれた人の親にプレゼントを提供する」、「○月○日から○月○日までの期間に何らかの記念日を日付情報として登録しているユーザーにプレゼントを提供する」といった条件である。
提供プレゼント条件には、日付情報の条件以外の条件をさらに含むようにしてもよい。たとえば日付情報の条件に加えて、「先着○○○名にプレゼントを提供する」、「抽選で○○名にプレゼントを提供する」、「プレゼント通知に対し回答を返信したユーザーにプレゼントを提供する」、「広告・案内メールの受信許諾をしたユーザーにプレゼントを提供する」といった条件である。
【００３１】
図６は、プレゼント情報記憶手段に記憶されるプレゼント情報と、日付情報を含む提供プレゼント条件とを含むデータの一例を示すデータ模式図である。
図６においては、プレゼント情報はプレゼントＩＤで識別され、プレゼントが特定できるようにされている例を示している。別途、プレゼントＩＤに関連付けられてプレゼントの名称、商品ジャンル、内容、画像データなどの必要なデータが記憶されていればよい。また、提供プレゼント条件として、日付情報として誕生日などの記念日が指定されている。またこれに対応して、提供プレゼント条件に合致するユーザーに対し提供されるプレゼントＩＤが記憶され、さらに必要に応じ日付情報以外の提供プレゼント条件が記憶されている。
図６の例を説明すると、誕生日の登録をしているユーザー全員にプレゼントＩＤ「００００１」で識別されるプレゼントが提供される。また誕生日の登録をしている６０歳以上のユーザー全員にプレゼントＩＤ「００００２」で識別されるプレゼントが提供される。また誕生日が３月１日であるユーザー全員であって、通知に対してプレゼント受領を承認した人にプレゼントＩＤ「００００３」で識別されるプレゼントが提供される。また結婚記念日の登録をしているユーザーであって、通知に対してアンケートの回答をした人にプレゼントＩＤ「００００４」で識別されるプレゼントが提供される。なおこの例では６０歳以上で３月１日が誕生日のユーザーなどは重複してプレゼントが提供されてしまうが、そのようにしてもよく、また重複は除外されるようにしてもよい。
【００３２】
プレゼント提供者からのデータ登録を、インターネット等の通信手段を介して行えるようにすることが望ましい。プレゼント提供者が備えるプレゼント提供者端末からアクセスして、前記のプレゼント提供者情報記憶手段およびプレゼント情報記憶手段にデータを登録する、プレゼント提供者登録手段がさらに備えられたシステム形態である。
【００３３】
次にサーバーシステムは、ユーザーごとに、日付情報を含む希望プレゼント条件と提供プレゼント条件とが合致するか否かを判定し、合致するユーザーを抽出するプレゼント条件判定手段を備えている。
日付情報を含む希望プレゼント条件は、ユーザー情報記憶手段を参照する。提供プレゼント条件は、プレゼント情報記憶手段を参照する。
希望プレゼント条件が日付情報のみであり、提供プレゼント条件も日付情報のみである場合には、日付が合致したユーザーにプレゼントが提供されるという結果が判定される。
一方、希望プレゼント条件としては、ユーザーが登録したプレゼントを希望する商品ジャンル、金額範囲、プレゼント提供者またはその種別の識別データ、プレゼント受け取り場所、プレゼント受け取り日時、プレゼント受け取り方法などが希望プレゼント条件に含まれていれば、さらにこれらの条件とのマッチング判定を行う。
「先着○○○名にプレゼントを提供する」、「抽選で○○名にプレゼントを提供する」、「プレゼント通知に対し回答を返信したユーザーにプレゼントを提供する」、「広告・案内メールの受信許諾をしたユーザーにプレゼントを提供する」といった一例を示したような提供プレゼント条件が含まれていれば、さらにこれらの条件とのマッチング判定を行う。
【００３４】
次にサーバーシステムは、希望プレゼント条件と提供プレゼント条件とが合致したユーザーに対し、ユーザー情報記憶手段に記憶されたユーザーごとのユーザー情報のうちの少なくとも一部のデータと、前記のプレゼント情報記憶手段に記憶された要返信データ項目を含む必要データ項目を挿入してプレゼント通知を生成するプレゼント通知生成手段を備えている。
プレゼント通知は、代表的な一例では電子メールなどである。ファクシミリその他の通信手段を用いてもよい。
プレゼント通知に含まれるユーザー情報のうちの少なくとも一部のデータは、ユーザー名、電子メールアドレス、記念日名称やその日付などである。「○○さん、お誕生日おめでとうございます」のような文面をテンプレートを用いて自動生成し、電子メールに挿入するような形態である。
また、要返信データ項目を含む必要データ項目は、たとえばプレゼント受領の受託・承認や、受領日時・受領方法などの返信が必要なデータ項目や、回答の返信を求めるアンケートなどである。
【００３５】
次にサーバーシステムは、該当するユーザー端末にプレゼント通知を送信するプレゼント通知送信手段を備えている。
ユーザー情報のうちの少なくとも一部のデータと、要返信データ項目を含む必要データ項目を挿入して生成された電子メールなどのプレゼント通知を、ユーザー端末に送信する。
【００３６】
以上のシステムによって、本発明によれば、プレゼント提供者はお祝いしたいユーザーの日付における限定の特典を企画し登録することにより、サーバーから該当ユーザーに対しプレゼントの通知を行うことができる。プレゼント提供者がプレゼントの商品を提供する場合には、サーバーからユーザー本人宛ての通知をし、好ましくは受け取りＯＫの確認が取れたユーザーに対し配送などによりプレゼントを提供する。プレゼント提供者が企業などである場合には、宣伝や販売促進、あるいはユーザー情報やアンケートなどを収集することにより、マーケティングに活用することができる。プレゼント受領の承認や、アンケートなどのユーザーからの返信が必要な事項に関しては、プレゼント提供者が登録した簡単な質問などをサーバー経由で発信し、その質問に答えたユーザーにプレゼントを進呈するようにすれば、より細分化されたセグメントでのマーケティング資料の収集をすることができる。望ましくは、プレゼントはサーバー管理者側から発送されるので、ユーザーを特定するプライバシーは保護され、企業側に漏れないという形態をとることができる。ユーザーが承諾した場合などには、企業等からのプレゼントの直接配送をしてもよい。
【００３７】
一方、本発明のシステムは、個人同士のお祝いや、グループ、任意団体などでのギフト、寄付などに利用することもできる。個人同士のお祝いの場合などには、プレゼント提供者は無差別に大勢の人に対してプレゼントを提供したり、提供するプレゼントを大量に用意したりすることは通常は想定できない。したがって、提供するプレゼントを選択することができたり、逆にユーザーがほしいプレゼントを登録できたりすることが望ましい。
こうした場合には、前記システムにはさらに、ユーザー情報に関連付けられて、ユーザーが受け取り希望プレゼントデータを登録する希望プレゼント登録手段が設けられる。希望プレゼント登録手段に記憶される希望プレゼントデータの一例としては、図４に一例を示したような商品ジャンルその他の希望プレゼント条件を指定する方法を採用することができる。また、金額範囲や受け取り方法、受け取りたい相手や逆に受け取りたくない相手などを登録できるようにしてもよい。
【００３８】
さらに、具体的な商品などを指定してリストデータとして記憶してもよい。リストデータは、好ましい一例としてはプレゼントを提供する側がプレゼントを選択することができるように、複数のプレゼントデータをあらかじめ記憶するプレゼントデータベースを設けることにより、ユーザーがプレゼントデータベースの中から欲しい商品を選択してリストデータとして登録することができる。
ユーザーはお祝いの日（結婚式など）に欲しい品物を本発明のサーバーシステムまたはこれと連携して動作するサーバー内のプレゼントデータベースから選択、指定するなどして登録し公開する。ユーザーは自分の関係者にアクセスするよう知らせる。公開は一般公開であっても、限定的なユーザー（プレゼント提供者）に対する公開であってもよい。ユーザーの関係者（友人、知人）などがアクセスして、そのユーザーが欲しい品をギフトデータベース（通信販売サーバー）から購入するようにしてもよい。
【００３９】
図７は、ユーザー情報記憶手段に記憶される希望プレゼントデータのリストデータを含むデータの一例を示すデータ模式図である。
図８は、プレゼントデータベースに記憶されるプレゼント（ギフト）データの一例を示すデータ模式図である。
プレゼント提供者がユーザーに贈る、選択・指定等したプレゼントは、済としてプレゼント提供者の名前またはニックネームが書き込まれ記憶されることが望ましい。プレゼント通知にプレゼント提供者の名前やメッセージなどを添えてユーザーに通知することもできる。
図７に一例を示したように、希望プレゼントデータのリストデータのうち、個々の希望プレゼントデータに対応して、プレゼント提供者が提供するプレゼントを選択し、贈られることが決定した場合には、プレゼント提供選択手段が該当する希望プレゼントデータに選択済フラグを付加する。
さらに、プレゼントデータベースにない商品を贈る場合には、そのプレゼントを引き受けましたと宣言した人の名前またはニックネーム等を希望プレゼントデータのリストの欄に書き込むことを可能にすれば、ユーザーの本当に欲しいものが分かると共にお祝い品の重複が避けられる。
登録されたユーザーの希望プレゼントデータを検索可能な希望プレゼント検索閲覧手段がさらに備えられ、贈る側が検索を可能にすることが望ましい。希望プレゼントデータのリストデータや、希望プレゼント条件を参照し、これを検索キーとして、プレゼントデータベースを検索可能にすることも好ましい。
【００４０】
以上のシステムにより、友人、知人以外の者同士でのプレゼントのやりとりや、さらにはボランティアなどへの寄付、その他の各種ギフト等に利用することができる。
たとえばプレゼントの一般募集として、ピアノや犬などを処分したい人は、ユーザーがユーザー情報データベースに登録した希望プレゼント条件や希望プレゼントデータのリスト（たとえば「これが貰えたらうれしい」）を検索して、該当する品物を該当する人にプレゼントする。
プレゼントしたい人とされたい人とを結びつけることができる。また、ユーザーの個人情報をプレゼント提供者に特定されないようにして、データの送受信やプレゼントの通知・配送などをサーバー管理者側で行うようにすれば、いきなりメールで見ず知らずの人とのやり取りには不安があるという問題もない。プレゼントしますと言う口実での詐欺的行為も考えられるので、最初は互いのメールアドレスがわからないようにお祝いサーバー内の臨時メールアドレスでメール交換して接触を始めることができる。電子メールでプレゼントの品物の状態や条件等（送料など）確認することもできる。
ボランティア団体などが必要とする品物などを効率よく集めることもでき、商品以外にも、サービスや各種の奉仕などの行為提供も、品物と同様にして提供者と提供を受ける者とを結びつけることができる。
【００４１】
以下、本発明の基本的な処理の流れについて説明する。
図９から図１４は、本発明の基本的な処理の流れの一例を示すフローチャートである。なお、ここに示す処理の流れは一例であって、これに限定されるものではなく、様々な応用や変形が可能である。
初めに、図９を参照して、プレゼント提供者によるプレゼント情報の登録処理について説明する。プレゼント提供者登録処理は、企業などから不特定多数のユーザーに対しプレゼントが行われる場合と、個人間などでプレゼントが行われる場合とで、基本的な処理は共通するが、登録されるデータはそれぞれに必要なデータ項目を採用する。個人間でのプレゼントにあっては、プレゼント提供者はサーバーシステムにアクセスするための認証処理などに必要なユーザー登録処理だけであってもよい。
【００４２】
プレゼント提供者端末からインターネットに接続し（Ｓ１００）、サーバーシステムにアクセスする（Ｓ１０１）。プレゼント提供者は前述したように、企業などの組織・団体であっても個人であってもよい。不特定多数のユーザーに対しプレゼントを提供する場合には、企業などの組織・団体であることが多いと想定される。
プレゼント情報登録メニューを選択し（Ｓ１０２）、プレゼント提供者のユーザー認証処理が行われる（Ｓ１０３）。プレゼント提供者としてのユーザー登録をしていない場合には、必要なデータ項目を入力、送信してプレゼント提供者情報記憶手段に記憶させることにより、プレゼント提供者のユーザー登録処理を行う。
認証処理が済むと、プレゼント情報登録画面をプレゼント提供者端末に送信し表示させる（Ｓ１０４）。
【００４３】
次いで、プレゼントの名称、内容などの説明や、価格、プレゼント数量などのプレゼント情報を入力し、プレゼント提供者端末からサーバーシステムに送信する（Ｓ１０５）。サーバーシステムにおいてはプレゼント情報記憶手段に記憶する（Ｓ１０６）。プレゼント情報をウェブサイトなどにおいて公開しユーザーによる閲覧を許可する場合には、詳しい内容の説明や、プレゼントの提供数、提供期間、提供条件、プレゼントを表示する画像データなどが含まれることが好ましい。
また、日付情報を含む提供プレゼント条件、アンケート等のデータを入力し、プレゼント提供者端末からサーバーシステムに送信する（Ｓ１０７）。提供プレゼント条件は、日付情報を含むが、さらにプレゼント提供の対象となるユーザーの属性、プレゼント受け取り場所、プレゼント受け取り日時、プレゼント受け取り方法など、プレゼント提供と引き換えにユーザーに求める条件などである。これらのデータはサーバーシステムにおいて受信され、プレゼント情報記憶手段に記憶される（Ｓ１０８）。
【００４４】
次に図１０を参照して、ユーザー情報登録処理について説明する。ユーザー登録処理は、企業などから不特定多数のユーザーに対しプレゼントが行われる場合と、個人間などでプレゼントが行われる場合とで、基本的な処理は共通するが、登録されるデータはそれぞれに必要なデータ項目を採用する。
ユーザー端末からインターネットに接続し（Ｓ２００）、サーバーシステムにアクセスする（Ｓ２０１）。ユーザー情報登録メニューを選択し（Ｓ２０２）、ユーザー情報登録画面をユーザー端末に送信し表示させｄる（Ｓ２０３）。
ユーザー端末においては、ユーザーの氏名、電子メールアドレスなどの必要データを含む所定のユーザー情報を入力し、サーバーシステムに送信する（Ｓ２０４）。サーバーシステムにおいては、受信したデータをユーザー情報記憶手段に記憶する（Ｓ２０５）。
【００４５】
次いで、希望プレゼント条件登録画面をユーザー端末に送信し表示させる（Ｓ２０６）。希望プレゼント条件には少なくとも日付情報を含み、日付情報には、年月日、あるいは毎年訪れる月日などのデータが含まれる。一例として、出産予定日、誕生日、結婚予定日、結婚記念日、入学予定日、卒業記念日、入社予定日、七五三、初節句など、それぞれのユーザーが祝いたい日付情報、祝ってほしい日付情報を登録する。
登録できる日付情報は、誕生日だけのように一つでもよく、また複数であってもよい。また、日付情報は、卒業式の日のように１回限りのものでもよく、また誕生日や結婚記念日のように毎年訪れる日付であってもよい。また、あらかじめ代表的な記念日を入力するための入力フォームを含むウェブページを表示させて、誕生日、結婚記念日、入学予定日、卒業記念日、入社予定日のような入力欄を設け、あるいはまたユーザー設定記念日の入力欄を設けるなどして、ユーザーが祝ってほしい任意の入力欄に入力し送信するようにすることもでき、望ましい。
【００４６】
日付情報のほかにも、希望プレゼント条件として、ユーザーが登録したプレゼントを希望する商品ジャンル、金額範囲、プレゼント提供者またはその種別の識別データ、プレゼント受け取り場所、プレゼント受け取り日時、プレゼント受け取り方法のうち、少なくとも一以上のプレゼント条件を入力し送信することにより、登録を行うことができる。
さらに、具体的な希望プレゼントを、商品名や、プレゼントの内容を特定できるデータを登録することにより行えるようにしてもよい。プレゼントは商品以外にも、サービスの提供、市販商品以外の物（たとえば手作り品）や行為（たとえばボランティア、手伝い、お祝いのメッセージの伝達）などであってもよい。
希望プレゼントとして具体的な商品等を指定する場合において、本発明のシステムにプレゼントデータベースをあらかじめ設け、あるいは本発明のシステムと連携してインターネット等のネットワークを介してアクセス可能な通信販売データベースなどのプレゼントデータベースを設け、このデータベースを閲覧・検索することにより、希望プレゼントを抽出して登録してもよい。このようにすれば、プレゼント提供者はプレゼントデータベースを閲覧等することができ、さらには通信販売により購入し、配送の手配までをすることができる。
以上のようにして、日付情報を含む希望プレゼント条件は、サーバーシステムにおいて受信され、ユーザー情報記憶手段に記憶される（Ｓ２０８）。
【００４７】
次に図１１および図１２を参照して、主として不特定多数のユーザーに対しプレゼント提供が行われる場合の判定処理について説明する。
サーバーシステムにおいては、登録されたユーザー情報と、プレゼント提供者から登録された情報とを参照し、両者の条件のマッチング判定を行うことにより、プレゼント提供がされるか否かを、通常は継続的に判定する。
プレゼント条件判定手段が、プレゼント情報記憶手段を参照し（Ｓ３００）、プレゼント提供者が登録したプレゼント情報と、提供プレゼント条件等を抽出する（Ｓ３０１）。
またプレゼント条件判定手段は、ユーザー情報記憶手段を参照し（Ｓ３０２）、ユーザー情報と、希望プレゼント条件等を抽出する（Ｓ３０３）。提供されるプレゼントごとかつユーザーごとに、提供プレゼント条件と希望プレゼント条件とが合致する否かを判定し（Ｓ３０４）、合致した場合にはプレゼントが提供されるものと判定し、該当するユーザー情報を抽出する（Ｓ３０６）。
次のユーザーがいる場合には同様の処理を行う（Ｓ３０７）。
【００４８】
また、すべてのユーザーについての判定を行い、次のプレゼント情報がある場合には同様の処理を行う（Ｓ３０８）。なお、様々なプレゼントまたはプレゼント提供者についての処理を同一のサーバーで行う場合には、それぞれのプレゼントまたはプレゼント提供者について上記の処理を行うが、あるいはプレゼントごとまたはプレゼント提供者ごとにサーバーを設けて、プレゼント提供をするか否かの判定を行うプログラムは該当するプレゼントまたはプレゼント提供者についての処理だけを行うようにしてもよい。
【００４９】
次に、Ｓ３０６においてプレゼントを提供することが判定されたユーザーごとに、通知等の処理を行う。
ユーザー情報記憶手段を参照してユーザー端末宛の電子メール等を生成する（Ｓ３０９）。該当するプレゼント情報記憶手段を参照し（Ｓ３１０）、提供されるプレゼント情報を抽出し挿入する（Ｓ３１１）。
また、プレゼント提供の条件として、アンケートへの回答などの要回答データ項目がある場合には（Ｓ３１２）、アンケート等の要回答通知を挿入し（Ｓ３１３）、返信による回答ができるようにする。また、プレゼントを受領することについて承認を得ることを条件とする場合などのように、要承認データ項目がある場合には（Ｓ３１４）、要承認通知を挿入し送信する（Ｓ３１５）。要回答データと要承認データとがある場合には、双方を挿入して通知を生成し、送信する。
ユーザー端末においては、プレゼント通知を受信して（Ｓ３１６）、承認・回答等を選択・指定・入力を行い（Ｓ３１７）、サーバーシステムに返信することにより（Ｓ３１８）、プレゼント受付が完了する（Ｓ３１９）。
以上の処理の結果、ユーザーが返信を行い、サーバーシステムにおいて非承認通知や、アンケート回答拒否などの不備な回答を受信した場合には（Ｓ３２０）。プレゼント受付条件を満たさないものとして処理が終了する。
【００５０】
次に図１３および図１４を参照して、個人ユーザー間などにおけるプレゼント提供処理について説明する。
プレゼント提供者（ユーザー）端末からインターネットに接続し（Ｓ４００）、サーバーシステムにアクセスする（Ｓ４０１）。ユーザー認証処理を行い（Ｓ４０２）、プレゼントの提供を受けるユーザーのユーザー情報記憶手段にアクセスする（Ｓ４０３）。
プレゼント提供者はユーザーの友人、知人などであって、ユーザー情報記憶手段にアクセスできるのは、ユーザーから通知されたプレゼント提供者のみにするように、一般には非公開とすることができる。一方、たとえばボランティア団体への寄付などのように、プレゼント提供者は不特定多数のユーザーであって、ユーザー情報記憶手段にアクセスできるユーザーは限定されず、一般公開とすることができる。
【００５１】
次いで登録されている日付情報、希望プレゼント条件等を閲覧・抽出する（Ｓ４０４）。登録された希望プレゼントとして特定の商品が指定されている場合や、そうでない場合であっても連携して備えられたプレゼントデータベースを閲覧・検索等できる場合には、プレゼントデータベースを参照することにより（Ｓ４０５）、希望プレゼントを抽出することができ、希望プレゼントリスト等を抽出する（Ｓ４０６）。またプレゼントデータベースがない場合においても、ユーザーの希望プレゼント条件リストなどが参照可能なことが望ましい。
希望プレゼント（条件）を提供する場合には（Ｓ４０７）、希望プレゼントリストまたは希望プレゼント条件リストにプレゼント提供者による選択・指定済フラグを付加する（Ｓ４０８）。またプレゼント提供者であるユーザーのユーザー情報を登録する（Ｓ４０９）。
また、プレゼントデータベースが通信販売機能をしなえる場合においては、プレゼント提供者は同時に購入、購入予約をすることができる。
【００５２】
次いで、プレゼントが提供されることを通知するユーザー端末宛の電子メール等を生成する（Ｓ４１０）。該当するプレゼントについてのデータを記憶するプレゼント情報記憶手段あるいはプレゼントデータベース等を参照し（Ｓ４１１）、プレゼント情報を抽出し挿入する（Ｓ４１２）。また、プレゼントを受領することの承認が必要な場合には、要承認データ項目を抽出し（Ｓ４１３）、要承認通知を挿入し送信する（Ｓ４１４）。
プレゼントの提供を受けるユーザーのユーザー端末において、プレゼント通知を受信して（Ｓ４１５）、承認等を選択・指定・入力し（Ｓ４１６）、サーバーシステムに返信を行うことにより（Ｓ４１７）、プレゼント受付が完了する（Ｓ４１８）。
プレゼントの受領の非承認・受領拒否などの通知をサーバーシステムにおいて受信した場合には（Ｓ４１９）、プレゼント受付が行われず、またプレゼントデータベースにより購入または購入予約がされていた場合には、そのキャンセルが行われることが望ましい。
【００５３】
【発明の効果】
以上詳細に説明したように、本発明によれば、個人間のプレゼントや、企業などがマーケティングその他の目的で消費者ユーザーに対しプレゼントなどの提供をする場合にも、ユーザー一人一人の記念日や、その人だけの祝いたい日、祝って欲しい日にプレゼント提供を行うことが可能なシステムを提供することができる。
また、本発明によれば、単に日付を忘れずに行うといった、プレゼントを贈る側の条件や希望だけではなく、プレゼントを受け取る側の条件や希望をも満たし、たとえばプレゼントの受け取り方法や、もらいたいプレゼントの商品ジャンル、内容、その他の様々な条件があり、さらには嫌いな相手からはもらいたくない、あるいは高価すぎるプレゼントはもらえないといった条件にも対応可能なシステムを提供することができる。
また、企業などが行うプレゼント等においても、ユーザー個人個人の誕生日その他の記念日に行うことを可能にすることにより、よりユーザーの印象にも残り、好感を得られる。
さらに本発明によれば、プレゼントを提供するユーザーと提供されるユーザーとの条件の合致判定を自動化し、さらに通知や承認、アンケートなどの各種の回答にも対応したシステムを提供することができる。
【図面の簡単な説明】
【図１】本発明のシステムの基本的な構成の一例を示すシステム構成図である。
【図２】ユーザー情報記憶手段に記憶されるデータの一例を示すデータ模式図である。
【図３】ユーザー情報記憶手段に記憶される日付情報のデータの一例を示すデータ模式図である。
【図４】ユーザー情報記憶手段に記憶される日付情報以外の希望プレゼント条件のデータの一例を示すデータ模式図である。
【図５】プレゼント提供者情報記憶手段に記憶されるデータの一例を示すデータ模式図である。
【図６】プレゼント情報記憶手段に記憶されるプレゼント情報と、提供プレゼント条件とを含むデータの一例を示すデータ模式図である。
【図７】ユーザー情報記憶手段に記憶される希望プレゼントデータのリストデータを含むデータの一例を示すデータ模式図である。
【図８】プレゼントデータベースに記憶されるプレゼント（ギフト）データの一例を示すデータ模式図である。
【図９】本発明の基本的な処理の流れの一例を示すフローチャートである。
【図１０】本発明の基本的な処理の流れの一例を示すフローチャートである。
【図１１】本発明の基本的な処理の流れの一例を示すフローチャートである。
【図１２】本発明の基本的な処理の流れの一例を示すフローチャートである。
【図１３】本発明の基本的な処理の流れの一例を示すフローチャートである。
【図１４】本発明の基本的な処理の流れの一例を示すフローチャートである。
【図１】
2004213587.tif 000003
【図２】
2004213587.tif 000004
【図３】
2004213587.tif 000005
【図４】
2004213587.tif 000006
【図５】
2004213587.tif 000007
【図６】
2004213587.tif 000008
【図７】
2004213587.tif 000009
【図８】
2004213587.tif 000010
【図９】
2004213587.tif 000011
【図１０】
2004213587.tif 000012
【図１１】
2004213587.tif 000013
【図１２】
2004213587.tif 000014
【図１３】
2004213587.tif 000015
【図１４】
2004213587.tif 000016